【事件の表示】
　特願２００５−１８１２３３「コンテンツダウンロード方法及びそのシステム」拒絶査定不服審判事件〔平成１８年　１月１２日出願公開、特開２００６−　１２１６７〕について、次のとおり審決する。
【結　論】
　本件審判の請求は、成り立たない。
【理　由】
１．手続きの経緯
　
　本件出願は、平成１７年　６月２１日（パリ条約による優先権主張平成１６年　６月２１日、韓国）の出願であって、平成２０年　４月２１日付けで拒絶理由が通知され、これに対して同年　８月１９日付けで手続補正書が提出されたが、平成２０年　９月１９日付けで拒絶査定され、これに対して同年１２月２４日付けで拒絶査定不服審判が請求されると共に、平成２１年　１月２３日付けで手続補正書が提出されたものである。
　
２．平成２１年　１月２３日付けでした手続補正についての補正却下の決定
　
［補正却下の決定の結論]
　
　平成２１年　１月２３日付けでした手続補正を却下する。
　
［理由］
　
（１）補正の内容について
　
　平成２０年　８月１９日付け手続補正書によって補正された明細書の特許請求の範囲は、平成２１年　１月２３日付けでした手続補正（以下、「本件補正」という。）により、以下のとおり補正された。
　
　
＜＜本件補正前の特許請求の範囲＞＞
　
「　　【請求項１】
　使用者装置において、使用者により所望されるコンテンツをサーバーからダウンロードする方法であって、
　前記方法は、
　前記使用者装置によって、前記使用者により所望されるコンテンツの使用権利を第１のサーバーから受信することであって、コンテンツ使用権利提供サーバーは、前記第１のサーバーおよび第２のサーバーに前記コンテンツの使用権利を提供する、ことと、
　前記使用者により所望されるコンテンツの使用権利を受信したことに応答して、前記使用者装置によって、前記使用者により所望されるコンテンツを受信するためのリクエストを前記第２のサーバーに送信することと、
　前記使用者装置によって、前記使用者により所望されるコンテンツの使用権利が有効であったか否かの指示を前記第２のサーバーから受信することと、
　前記コンテンツの使用権利が有効である場合に、前記使用者装置によって、前記使用者により所望されるコンテンツと、暗号化された実行キーとを前記第２のサーバーから受信することであって、前記暗号化された実行キーは、前記受信されたコンテンツを実行するためのキーである、ことと
　を包含する、方法。
　　【請求項２】
　前記第１のサーバーおよび前記第２のサーバーは、同一のサーバーである、請求項１に記載の方法。
　　【請求項３】
　前記使用者装置によって、前記使用者により所望されるコンテンツの使用権利を前記使用者装置のメモリに格納することをさらに包含する、請求項１に記載の方法。
　　【請求項４】
　前記使用者装置によって、前記使用者により所望されるコンテンツの使用権利に含まれる秘密キーを用いて前記受信された実行キーを復号化することをさらに包含する、請求項１に記載の方法。
　　【請求項５】
　前記使用者により所望されるコンテンツの使用権利は、タイトルと、使用期限と、著作権者と、著作権者の秘密キーと、著作権者の署名とのうちの少なくとも一つを含む、請求項１に記載の方法。
　　【請求項６】
　前記使用者により所望されるコンテンツを受信するためのリクエストは、前記使用者装置に割り当てられた固有の識別情報を含む、請求項１に記載の方法。
　　【請求項７】
　サーバーにおいて、使用者により所望されるコンテンツを使用者装置へとダウンロードする方法であって、
　前記方法は、
　第１のサーバーによって、前記使用者により所望されるコンテンツをダウンロードするための前記使用者装置からのリクエストを受信することと、
　前記第１のサーバーによって、前記使用者により所望されるコンテンツの使用権利を生成することと、
　前記第１のサーバーによって、前記使用者により所望されるコンテンツの使用権利を前記第１のサーバーから前記使用者装置へと伝送することと、
　認証エンジンによって、第２のサーバーにおいて前記使用者により所望されるコンテンツの使用権利の有効性を判断することと、
　前記使用者により所望されるコンテンツの使用権利が有効である場合に、前記第２のサーバーによって、前記使用者により所望されるコンテンツと、暗号化された実行キーとを前記第２のサーバーから前記使用者装置へと伝送することであって、前記暗号化された実行キーは、前記第２のサーバーから伝送されたコンテンツを実行するための実行キーである、ことと
　を包含する、方法。
　　【請求項８】
　前記第１のサーバーおよび前記第２のサーバーは、同一のサーバーである、請求項７に記載の方法。
　　【請求項９】
　前記第１のサーバーは、前記使用者により所望されるコンテンツの使用権利に含まれる情報の少なくとも一部を権利提供サーバーから受信することにより、前記使用者により所望されるコンテンツの使用権利を生成する、請求項７に記載の方法。
　　【請求項１０】
　前記使用者により所望されるコンテンツの使用権利の有効性を判断することは、
　前記第２のサーバーに保持されているコンテンツの使用権利と、前記使用者により所望されるコンテンツの使用権利であって、前記使用者装置から受信される使用者権利とを比較することと、
　前記第２のサーバーに保持されているコンテンツの使用権利と、前記使用者により所望されるコンテンツの使用権利であって、前記使用者装置から受信される使用者権利とが一致する場合に、前記使用者により所望されるコンテンツの使用権利であって、前記使用者装置から受信される使用者権利が有効であると判断することと
　を包含する、請求項７に記載の方法。
　　【請求項１１】
　前記使用者により所望されるコンテンツの使用権利は、コンテンツのタイトルと、使用期限と、著作権者と、著作権者の秘密キーと、著作権者の署名とのうちの少なくとも一つを含む、請求項１０に記載の方法。
　　【請求項１２】
　使用者により所望されるコンテンツをサーバーから使用者装置へとダウンロードする方法であって、
　前記方法は、
　コンテンツ使用権利提供サーバーによって、コンテンツの使用権利を前記コンテンツ使用権利提供サーバーから第１のサーバーおよび第２のサーバーに提供することと、
　前記第１のサーバーによって、前記使用者により所望されるコンテンツの使用権利を前記第１のサーバーから前記使用者装置へと提供することと、
　前記使用者により所望されるコンテンツの使用権利を受信することに応答して、前記使用者装置によって、前記使用者により所望されるコンテンツを受信するためのリクエストを前記使用者装置から前記第２のサーバーへと伝送することと、
　前記第２のサーバーによって、前記使用者により所望されるコンテンツの使用権利の有効性を判断することと、
　前記使用者により所望されるコンテンツの使用権利が有効である場合に、前記第２のサーバーによって、前記使用者により所望されるコンテンツと、暗号化された実行キーとを前記第２のサーバーから前記使用者装置へと伝送することであって、前記暗号化された実行キーは、前記第２のサーバーから伝送されたコンテンツを実行するためのキーである、ことと
　を包含する、方法。
　　【請求項１３】
　前記第１のサーバーおよび前記第２のサーバーは、同一のサーバーである、請求項１２に記載の方法。
　　【請求項１４】
　前記第２のサーバーによって、認証成功メッセージを前記第２のサーバーから前記使用者装置へと伝送することであって、前記認証成功メッセージは、所定の期間の間、使用可能である、ことをさらに包含する、請求項１２に記載の方法。
　　【請求項１５】
　前記使用者により所望されるコンテンツの使用権利が無効である場合に、前記第２のサーバーによって、認証失敗メッセージを前記第２のサーバーから前記使用者装置へと伝送することをさらに包含する、請求項１２に記載の方法。
　　【請求項１６】
　前記使用者により所望されるコンテンツの使用権利が無効である場合に、前記使用者装置は、前記第２のサーバーによって、前記コンテンツの使用権利を更新する必要があることを通知される、請求項１５に記載の方法。
　　【請求項１７】
　使用者により所望されるコンテンツを使用者装置に提供するための１つ以上のサーバーであって、
　前記１つ以上のサーバーは、
　前記使用者装置と通信する手段と、
　前記使用者により所望されるコンテンツの使用権利を提供する手段と、
　前記使用者により所望されるコンテンツをダウンロードするための前記使用者装置からのリクエストを受信する手段であって、前記リクエストは、前記使用者により所望されるコンテンツの使用権利の少なくとも一部を含む、手段と、
　前記使用者により所望されるコンテンツの使用権利を認証する手段と、
　前記使用者により所望されるコンテンツの実行のための暗号化された実行キーを生成する手段であって、前記実行キーは、前記使用者により所望されるコンテンツの使用権利に含まれている秘密キーを用いて暗号化されている、手段と、
　前記使用者装置からの受信されたリクエストに応答して、前記コンテンツを前記使用者装置へとダウンロードする手段と
　を備える、サーバー。
　　【請求項１８】
　使用者により所望されるコンテンツをサーバーから使用者装置へとダウンロードするためのシステムであって、
　前記システムは、
　コンテンツ使用権利提供サーバーと、第１のサーバーと、第２のサーバーと、使用者装置とを備え、
　前記コンテンツ使用権利提供サーバーは、前記第１のサーバーおよび前記第２のサーバーにコンテンツの使用権利を提供し、
　前記第１のサーバーは、前記使用者により所望されるコンテンツの使用権利を前記使用者装置へと提供し、
　前記第２のサーバーは、前記使用者により所望されるコンテンツと、暗号化された実行キーとを前記使用者装置へと提供し、
　前記使用者装置は、前記使用者により所望されるコンテンツの使用権利を前記第１のサーバーから受信し、前記使用者により所望されるコンテンツの受信された使用権利を用いて前記使用者により所望されるコンテンツの前記第２のサーバーからのダウンロードをリクエストし、前記第１のサーバーから提供された前記使用者により所望されるコンテンツの使用権利と、前記第２のサーバーから提供された前記使用者により所望されるコンテンツおよび前記暗号化された実行キーとを格納する、システム。
　　【請求項１９】
　前記第１のサーバーおよび前記第２のサーバーは、同一のサーバーである、請求項１８に記載のシステム。
　　【請求項２０】
　前記使用者装置は、前記使用者により所望されるコンテンツと、前記使用者により所望されるコンテンツの使用権利とを格納するための着脱式メモリを備える、請求項１８に記載のシステム。
　　【請求項２１】
　前記使用者により所望されるコンテンツの使用権利は、前記使用者により所望されるコンテンツのタイトルと、使用期限と、著作権者と、著作権者の秘密キーと、著作権者の署名とのうちの少なくとも一つを含む、請求項１８に記載のシステム。
　　【請求項２２】
　前記第１のサーバーは、
　コンテンツの使用権利を格納するデータベースであって、前記コンテンツの使用権利を定期的に更新するデータベースと、
　前記データベースに格納された前記使用者により所望されるコンテンツの使用権利を前記使用者装置へとダウンロードするコンテンツダウンロードエンジンと
　を備える、請求項１８に記載のシステム。
　　【請求項２３】
　前記第２のサーバーは、
　前記コンテンツを格納するデータベースと、
　前記使用者により所望されるコンテンツの使用権利であって、前前記使用者により所望されるコンテンツのダウンロードをリクエストするときに前記使用者装置により提供される使用権利の有効性を決定する認証エンジンと、
　前記認証エンジンによる前記有効性の決定の結果を参照して前記コンテンツを前記使用者装置へとダウンロードするコンテンツダウンロードエンジンと
　を備える、請求項１８に記載のシステム。
　　【請求項２４】
　前記第２のサーバーは、前記使用者により所望されるコンテンツの実行のための暗号化された実行キーを生成してダウンロードするエンジンをさらに備える、請求項２３に記載のシステム。
　　【請求項２５】
　第１のサーバーおよび第２のサーバーと通信する手段と、
　使用者により所望されるコンテンツの使用権利を前記第１のサーバーから受信する手段と、
　前記使用者により所望されるコンテンツを前記第２のサーバーからダウンロードするためのリクエストを提供する手段であって、前記リクエストは、前記使用者により所望されるコンテンツの使用権利の少なくとも一部を含む、手段と、
　前記使用者により所望されるダウンロードされたコンテンツの実行のための暗号化された実行キーを受信する手段と、
　前記使用者により所望されるコンテンツを前記第２のサーバーからダウンロードする手段と
　を備える、使用者装置であって、
　前記コンテンツの使用権利は、コンテンツ使用権利提供サーバーから前記第１のサーバーおよび前記第２のサーバーへと提供される、使用者装置。」
　
＜＜本件補正後の特許請求の範囲＞＞
　
「　　【請求項１】
　移動通信使用者装置において、使用者により所望されるコンテンツを無線インターネット接続を介してサーバーからダウンロードする方法であって、
　前記方法は、
　前記移動通信使用者装置によって、前記使用者により所望されるコンテンツの使用権利を第１のサーバーから受信することであって、コンテンツ使用権利提供サーバーは、前記第１のサーバーおよび第２のサーバーに前記コンテンツの使用権利を提供する、ことと、
　前記使用者により所望されるコンテンツの使用権利を前記第１のサーバーから受信したことに応答して、前記移動通信使用者装置によって、前記使用者により所望されるコンテンツを受信するためのリクエストおよび前記移動通信使用者装置に与えられた固有の識別情報を前記第２のサーバーに送信することと、
　前記移動通信使用者装置によって、前記使用者により所望されるコンテンツの使用権利が有効であったか否かの指示を前記第２のサーバーから受信することと、
　前記コンテンツの使用権利が有効である場合に、前記移動通信使用者装置によって、前記使用者により所望されるコンテンツと、暗号化された実行キーとを前記第２のサーバーから受信することであって、前記暗号化された実行キーは、前記受信されたコンテンツを実行するためのキーである、ことと
　を包含する、方法。
　　【請求項２】
　前記第１のサーバーおよび前記第２のサーバーは、同一のサーバーである、請求項１に記載の方法。
　　【請求項３】
　前記移動通信使用者装置によって、前記使用者により所望されるコンテンツの使用権利を前記移動通信使用者装置のメモリに格納することをさらに包含する、請求項１に記載の方法。
　　【請求項４】
　前記移動通信使用者装置によって、前記使用者により所望されるコンテンツの使用権利に含まれる秘密キーを用いて前記受信された実行キーを復号化することをさらに包含する、請求項１に記載の方法。
　　【請求項５】
　前記使用者により所望されるコンテンツの使用権利は、タイトルと、使用期限と、著作権者と、著作権者の秘密キーと、著作権者の署名とのうちの少なくとも一つを含む、請求項１に記載の方法。
　　【請求項６】
　サーバーにおいて、使用者により所望されるコンテンツを無線インターネット接続を介して移動通信使用者装置へとダウンロードする方法であって、
　前記方法は、
　第１のサーバーによって、前記使用者により所望されるコンテンツをダウンロードするための前記移動通信使用者装置からのリクエストおよび前記移動通信使用者装置に与えられた固有の識別情報を受信することと、
　前記第１のサーバーによって、前記使用者により所望されるコンテンツの使用権利を生成することと、
　前記第１のサーバーによって、前記使用者により所望されるコンテンツの使用権利を前記第１のサーバーから前記移動通信使用者装置へと伝送することと、
　認証エンジンによって、第２のサーバーにおいて前記使用者により所望されるコンテンツの使用権利の有効性を判断することと、
　前記使用者により所望されるコンテンツの使用権利が有効である場合に、前記第２のサーバーによって、前記使用者により所望されるコンテンツと、暗号化された実行キーとを前記第２のサーバーから前記移動通信使用者装置へと伝送することであって、前記暗号化された実行キーは、前記第２のサーバーから伝送されたコンテンツを実行するための実行キーである、ことと
　を包含する、方法。
　　【請求項７】
　前記第１のサーバーおよび前記第２のサーバーは、同一のサーバーである、請求項６に記載の方法。
　　【請求項８】
　前記第１のサーバーは、前記使用者により所望されるコンテンツの使用権利に含まれる情報の少なくとも一部を権利提供サーバーから受信することにより、前記使用者により所望されるコンテンツの使用権利を生成する、請求項６に記載の方法。
　　【請求項９】
　前記使用者により所望されるコンテンツの使用権利の有効性を判断することは、
　前記第２のサーバーに保持されているコンテンツの使用権利と、前記使用者により所望されるコンテンツの使用権利であって、前記移動通信使用者装置から受信される使用者権利とを比較することと、
　前記第２のサーバーに保持されているコンテンツの使用権利と、前記使用者により所望されるコンテンツの使用権利であって、前記移動通信使用者装置から受信される使用者権利とが一致する場合に、前記使用者により所望されるコンテンツの使用権利であって、前記移動通信使用者装置から受信される使用者権利が有効であると判断することと
　を包含する、請求項６に記載の方法。
　　【請求項１０】
　前記使用者により所望されるコンテンツの使用権利は、コンテンツのタイトルと、使用期限と、著作権者と、著作権者の秘密キーと、著作権者の署名とのうちの少なくとも一つを含む、請求項９に記載の方法。
　　【請求項１１】
　使用者により所望されるコンテンツを無線インターネット接続を介してサーバーから移動通信使用者装置へとダウンロードする方法であって、
　前記方法は、
　コンテンツ使用権利提供サーバーによって、コンテンツの使用権利を前記コンテンツ使用権利提供サーバーから第１のサーバーおよび第２のサーバーに提供することと、
　前記第１のサーバーによって、前記使用者により所望されるコンテンツの使用権利を前記第１のサーバーから前記移動通信使用者装置へと提供することと、
　前記使用者により所望されるコンテンツの使用権利を前記第１のサーバーから受信することに応答して、前記移動通信使用者装置によって、前記使用者により所望されるコンテンツを受信するためのリクエストおよび前記移動通信使用者装置に与えられた固有の識別情報を前記移動通信使用者装置から前記第２のサーバーへと伝送することと、
　前記第２のサーバーによって、前記使用者により所望されるコンテンツの使用権利の有効性を判断することと、
　前記使用者により所望されるコンテンツの使用権利が有効である場合に、前記第２のサーバーによって、前記使用者により所望されるコンテンツと、暗号化された実行キーとを前記第２のサーバーから前記移動通信使用者装置へと伝送することであって、前記暗号化された実行キーは、前記第２のサーバーから伝送されたコンテンツを実行するためのキーである、ことと
　を包含する、方法。
　　【請求項１２】
　前記第１のサーバーおよび前記第２のサーバーは、同一のサーバーである、請求項１１に記載の方法。
　　【請求項１３】
　前記第２のサーバーによって、認証成功メッセージを前記第２のサーバーから前記移動通信使用者装置へと伝送することであって、前記認証成功メッセージは、所定の期間の間、使用可能である、ことをさらに包含する、請求項１１に記載の方法。
　　【請求項１４】
　前記使用者により所望されるコンテンツの使用権利が無効である場合に、前記第２のサーバーによって、認証失敗メッセージを前記第２のサーバーから前記移動通信使用者装置へと伝送することをさらに包含する、請求項１１に記載の方法。
　　【請求項１５】
　前記使用者により所望されるコンテンツの使用権利が無効である場合に、前記移動通信使用者装置は、前記第２のサーバーによって、前記コンテンツの使用権利を更新する必要があることを通知される、請求項１４に記載の方法。
　　【請求項１６】
　使用者により所望されるコンテンツを無線インターネット接続を介して移動通信使用者装置に提供するための１つ以上のサーバーであって、
　前記１つ以上のサーバーは、
　前記移動通信使用者装置と通信する手段と、
　前記使用者により所望されるコンテンツの使用権利を提供する手段と、
　前記使用者により所望されるコンテンツをダウンロードするための前記移動通信使用者装置からのリクエストおよび前記移動通信使用者装置に与えられた固有の識別情報を受信する手段であって、前記リクエストは、前記使用者により所望されるコンテンツの使用権利の少なくとも一部を含む、手段と、
　前記使用者により所望されるコンテンツの使用権利を認証する手段と、
　前記使用者により所望されるコンテンツの実行のための暗号化された実行キーを生成する手段であって、前記実行キーは、前記使用者により所望されるコンテンツの使用権利に含まれている秘密キーを用いて暗号化されている、手段と、
　前記移動通信使用者装置からの受信されたリクエストに応答して、前記コンテンツを前記移動通信使用者装置へとダウンロードする手段と
　を備える、サーバー。
　　【請求項１７】
　使用者により所望されるコンテンツを無線インターネット接続を介してサーバーから移動通信使用者装置へとダウンロードするためのシステムであって、
　前記システムは、
　コンテンツ使用権利提供サーバーと、第１のサーバーと、第２のサーバーと、移動通信使用者装置とを備え、
　前記コンテンツ使用権利提供サーバーは、前記第１のサーバーおよび前記第２のサーバーにコンテンツの使用権利を提供し、
　前記第１のサーバーは、前記使用者により所望されるコンテンツの使用権利を前記移動通信使用者装置へと提供し、
　前記第２のサーバーは、前記使用者により所望されるコンテンツと、暗号化された実行キーとを前記移動通信使用者装置へと提供し、
　前記移動通信使用者装置は、前記使用者により所望されるコンテンツの使用権利を前記第１のサーバーから受信し、前記使用者により所望されるコンテンツの受信された使用権利を用いて前記使用者により所望されるコンテンツの前記第２のサーバーからのダウンロードをリクエストし、前記第１のサーバーから提供された前記使用者により所望されるコンテンツの使用権利と、前記第２のサーバーから提供された前記使用者により所望されるコンテンツおよび前記暗号化された実行キーとを格納する、システム。
　　【請求項１８】
　前記第１のサーバーおよび前記第２のサーバーは、同一のサーバーである、請求項１７に記載のシステム。
　　【請求項１９】
　前記移動通信使用者装置は、前記使用者により所望されるコンテンツと、前記使用者により所望されるコンテンツの使用権利とを格納するための着脱式メモリを備える、請求項１７に記載のシステム。
　　【請求項２０】
　前記使用者により所望されるコンテンツの使用権利は、前記使用者により所望されるコンテンツのタイトルと、使用期限と、著作権者と、著作権者の秘密キーと、著作権者の署名とのうちの少なくとも一つを含む、請求項１７に記載のシステム。
　　【請求項２１】
　前記第１のサーバーは、
　コンテンツの使用権利を格納するデータベースであって、前記コンテンツの使用権利を定期的に更新するデータベースと、
　前記データベースに格納された前記使用者により所望されるコンテンツの使用権利を前記移動通信使用者装置へとダウンロードするコンテンツダウンロードエンジンと
　を備える、請求項１７に記載のシステム。
　　【請求項２２】
　前記第２のサーバーは、
　前記コンテンツを格納するデータベースと、
　前記使用者により所望されるコンテンツの使用権利であって、前前記使用者により所望されるコンテンツのダウンロードをリクエストするときに前記移動通信使用者装置により提供される使用権利の有効性を決定する認証エンジンと、
　前記認証エンジンによる前記有効性の決定の結果を参照して前記コンテンツを前記移動通信使用者装置へとダウンロードするコンテンツダウンロードエンジンと
　を備える、請求項１７に記載のシステム。
　　【請求項２３】
　前記第２のサーバーは、前記使用者により所望されるコンテンツの実行のための暗号化された実行キーを生成してダウンロードするエンジンをさらに備える、請求項２２に記載のシステム。
　　【請求項２４】
　第１のサーバーおよび第２のサーバーと通信する手段と、
　使用者により所望されるコンテンツの使用権利を前記第１のサーバーから受信する手段と、
　前記使用者により所望されるコンテンツを前記第２のサーバーからダウンロードするためのリクエストおよび前記移動通信使用者装置に与えられた固有の識別情報を提供する手段であって、前記リクエストは、前記使用者により所望されるコンテンツの使用権利の少なくとも一部を含む、手段と、
　前記使用者により所望されるダウンロードされたコンテンツの実行のための暗号化された実行キーを受信する手段と、
　前記使用者により所望されるコンテンツを前記第２のサーバーからダウンロードする手段と
　を備える、移動通信使用者装置であって、
　前記コンテンツの使用権利は、コンテンツ使用権利提供サーバーから前記第１のサーバーおよび前記第２のサーバーへと提供される、移動通信使用者装置。」
　
（２）本件補正前後の各請求項の対応関係について
　
　本件補正前の請求項１乃至６に係る発明は、「使用者装置において、使用者により所望されるコンテンツをサーバーからダウンロードする方法」に係る発明であり、本件補正前の請求項７乃至１１に係る発明は、「サーバーにおいて、使用者により所望されるコンテンツを使用者装置へとダウンロードする方法」に係る発明であり、本件補正前の請求項１２乃至１６に係る発明は、「使用者により所望されるコンテンツをサーバーから使用者装置へとダウンロードする方法」に係る発明であり、本件補正前の請求項１７に係る発明は、「使用者により所望されるコンテンツを使用者装置に提供するための１つ以上のサーバー」に係る発明であり、本件補正前の請求項１８乃至２４に係る発明は、「使用者により所望されるコンテンツをサーバーから使用者装置へとダウンロードするためのシステム」に係る発明であり、本件補正前の請求項２５に係る発明は、「使用者装置」に係る発明である。
　
　一方、本件補正後の請求項１乃至５に係る発明は、「移動通信使用者装置において、使用者により所望されるコンテンツを無線インターネット接続を介してサーバーからダウンロードする方法」に係る発明であり、本件補正後の請求項６乃至１０に係る発明は、「サーバーにおいて、使用者により所望されるコンテンツを無線インターネット接続を介して移動通信使用者装置へとダウンロードする方法」に係る発明であり、本件補正後の請求項１１乃至１５に係る発明は、「使用者により所望されるコンテンツを無線インターネット接続を介してサーバーから移動通信使用者装置へとダウンロードする方法」に係る発明であり、本件補正後の請求項１６に係る発明は、「使用者により所望されるコンテンツを無線インターネット接続を介して移動通信使用者装置に提供するための１つ以上のサーバー」に係る発明であり、本件補正後の請求項１７乃至２３に係る発明は、「使用者により所望されるコンテンツを無線インターネット接続を介してサーバーから移動通信使用者装置へとダウンロードするためのシステム」に係る発明であり、本件補正後の請求項２４に係る発明は、「移動通信使用者装置」に係る発明である。
　
　本件補正前後の各請求項の記載を対比して検討すると、本件補正前の請求項１乃至５の「使用者装置において、使用者により所望されるコンテンツをサーバーからダウンロードする方法」に係る発明は、本件補正後の請求項１乃至５の「移動通信使用者装置において、使用者により所望されるコンテンツを無線インターネット接続を介してサーバーからダウンロードする方法」に係る発明に対応するものであり、本件補正前の請求項７乃至１１の「サーバーにおいて、使用者により所望されるコンテンツを使用者装置へとダウンロードする方法」に係る発明は、本件補正後の請求項６乃至１０の「サーバーにおいて、使用者により所望されるコンテンツを無線インターネット接続を介して移動通信使用者装置へとダウンロードする方法」に係る発明に対応するものであり、本件補正前の請求項１２乃至１６の「使用者により所望されるコンテンツをサーバーから使用者装置へとダウンロードする方法」に係る発明は、本件補正後の請求項１１乃至１５の「使用者により所望されるコンテンツを無線インターネット接続を介してサーバーから移動通信使用者装置へとダウンロードする方法」に係る発明に対応するものであり、本件補正前の請求項１７の「使用者により所望されるコンテンツを使用者装置に提供するための１つ以上のサーバー」に係る発明は、本件補正後の請求項１６の「使用者により所望されるコンテンツを無線インターネット接続を介して移動通信使用者装置に提供するための１つ以上のサーバー」に係る発明に対応するものであり、本件補正前の請求項１８乃至２４の「使用者により所望されるコンテンツをサーバーから使用者装置へとダウンロードするためのシステム」に係る発明は、本件補正後の請求項１７乃至２３の「使用者により所望されるコンテンツを無線インターネット接続を介してサーバーから移動通信使用者装置へとダウンロードするためのシステム」に係る発明に対応するものであり、本件補正前の請求項２５の「使用者装置」に係る発明は、本件補正後の請求項２４の「移動通信使用者装置」に係る発明に対応するものである。
　
　また、本件補正前の請求項６は、審判請求人の審判請求書での主張のとおり、本件補正により削除された。
　
（３）補正の目的
　
　そして、上記の対応関係からみて、本件補正後の請求項６に係る発明は本件補正前の請求項７に係る発明に対応し、本件補正後の請求項６に係る発明の「移動通信使用者装置」は、本件補正前の請求項７に係る発明の「使用者装置」の種類を特定することによって限定したものであり、本件補正後の請求項６に係る発明の「無線インターネット接続を介して」は、本件補正前の請求項７に係る発明の「ダウンロード」の手段を特定して限定したものであり、本件補正後の請求項６に係る発明の「および前記移動通信使用者装置に与えられた固有の識別情報」は、本件補正前の請求項７に係る発明の「所望されるコンテンツをダウンロードするための」情報として必須の内容を特定して限定したものであり、これらの限定によってもなお、本件補正前の請求項７に係る発明と本件補正後の請求項６に係る発明は、その産業上の利用分野及び解決しようとする課題は同一である。
　
　したがって、本件補正後の請求項６に係る本件補正は、平成１８年法律第５５号改正附則第３条第１項によりなお従前の例によるとされる同法による改正前の特許法（以下、「改正前特許法」という。）第１７条の２第４項第１号及び第２号にそれぞれ掲げられた請求項の削除及び特許請求の範囲の減縮を目的とするものに該当する。
　
（４）独立特許要件
　
　上記のとおり、本件補正後の請求項６に係る本件補正は、改正前特許法第１７条の２第４項第２号に掲げられた特許請求の範囲の減縮を目的とするものに該当するから、本件補正後の請求項６に係る発明が特許出願の際、独立して特許を受けることができるものであるのかどうか（改正前特許法第１７条の２第５項において準用する同法第１２６条第５項の規定に適合するか）について以下検討する。
　
（４−１）本願補正発明
　
　本願の請求項６に係る発明（以下、「本願補正発明」という。）は、平成２１年　１月２３日付け手続補正書の特許請求の範囲の請求項６に記載された事項により特定される上記「＜＜本件補正後の特許請求の範囲＞＞」の項に示したとおりのものである。
　
（４−２）引用文献に記載の発明及び引用文献の記載事項
　
（引用文献１）
　
　原査定の拒絶の理由に引用された特開２００４−１３３５７６号公報（以下、「引用文献１」という。）には、図面とともに以下の内容が記載されている。
　
（１ａ）「【００５５】
【発明の実施の形態】
以下、図面を参照しながら、本発明の情報処理装置、コンテンツ配信サーバ、ライセンスサーバ、および方法、並びにコンピュータ・プログラムについて説明する。
【００５６】
本発明は、コンテンツの利用権情報を格納したデバイスと、家庭内などにユーザが保持するコンテンツ利用デバイスとが接続し、コンテンツ利用デバイスが、コンテンツの利用権情報を取得して、コンテンツ配信サーバに接続し、利用権に基づいてコンテンツをダウンロードして利用、再生する構成を実現する。以下、本発明の詳細な説明について、以下の項目に従って説明する。
１．システム構成
２．各機器の構成
３．コンテンツ、権利情報（Ｒｉｇｈｔ）の構成
４．権利情報に基づくコンテンツ再生処理
５．権利情報の購入、格納処理
【００５７】
［１．システム構成］
まず、図１を参照して、本発明のコンテンツ配信、利用構成を実現するシステム全体構成について説明する。
【００５８】
コンテンツを再生、利用するユーザは、ローカル領域１１０において、ネットワーク１５０接続可能なコンテンツ利用デバイス（ＣＰＴ：Ｃｏｎｔｅｎｔ　Ｐｌａｙｉｎｇ　Ｔｅｒｍｉｎａｌ）１１１を有する。コンテンツは、コンテンツ配信サーバ１２１からネットワーク１５０を介してコンテンツ利用デバイス（ＣＰＴ）に配信され、利用される。
【００５９】
コンテンツの配信を受け、コンテンツを利用するためには、コンテンツの利用権（ライセンス）が必要となる。このコンテンツ利用権（ライセンス）は、所定のライセンス取得手続きによって、ライセンスサーバ（ＲＳＳ：Ｒｉｇｈｔ　Ｓｅｌｌｉｎｇ　Ｓｅｒｖｅｒ）１２２から取得し、ライセンス格納デバイス（ＲＨＤ：Ｒｉｇｈｔ　Ｈｏｌｄｉｎｇ　Ｄｅｖｉｃｅ）１１２に格納される。また、コンテンツ利用権（ライセンス）があらかじめ格納されたライセンス格納デバイスを購入することで利用権を取得する方法もある。
【００６０】
ライセンス格納デバイス（ＲＨＤ）１１２は、コンテンツ利用デバイス（ＣＰＴ）１１１と通信するためのインタフェースを持っている。それぞれの装置はセキュアなセッションを張るための暗号処理装置と認証に必要な鍵情報を保持するエリアを備えている。ライセンス格納デバイス（ＲＨＤ）１１２は、例えば暗号処理部を備えた非接触ＩＣカードやメモリデバイスなどにより構成される。
【００６１】
ライセンス格納デバイス（ＲＨＤ）１１２に格納されているライセンス情報としてのコンテンツ利用権を示す権利情報（以下、Ｒｉｇｈｔと呼ぶ）が、セキュアなセッションにおいて、コンテンツ利用デバイス（ＣＰＴ）１１１に安全に渡されると、コンテンツ利用デバイス（ＣＰＴ）１１１は、受領したコンテンツ利用権情報としての権利情報（Ｒｉｇｈｔ）の正当性を検証する。
【００６２】
受領したコンテンツ利用権情報としての権利情報（Ｒｉｇｈｔ）の正当性が確認されると、コンテンツ利用デバイス（ＣＰＴ）１１１は、コンテンツ配信サーバ（ＣＤＳ）１２１に接続する。なお、コンテンツ利用デバイス（ＣＰＴ）１１１は、利用するコンテンツ、すなわち、受領した権利情報（Ｒｉｇｈｔ）に対応するコンテンツを配信可能なコンテンツ配信サーバ情報を取得するために、必要に応じてインデックスサーバ（ＣＩＳ：ＣＤＳ　Ｉｎｄｅｘ　Ｓｅｒｖｅｒ）１２４とネゴシエーションを実行する。これは特定のコンテンツ配信サーバ（ＣＤＳ）へのアクセスによる負荷の集中を避けるためにも利用される。
【００６３】
コンテンツ利用デバイス（ＣＰＴ）１１１は、コンテンツ配信サーバ（ＣＤＳ）１２１に接続された後にコンテンツ利用権情報としての権利情報（Ｒｉｇｈｔ）をセキュアに送信する。コンテンツ配信サーバ（ＣＤＳ）１２１は、コンテンツ利用デバイス（ＣＰＴ）１１１から受信したコンテンツ利用権情報としての権利情報（Ｒｉｇｈｔ）の検証処理を実行して、偽造の有無の確認を行なう。さらに、権利情報（Ｒｉｇｈｔ）の有効期限を管理するデータベース、有効性管理情報データベース（ＶＩＤ：Ｖａｌｉｄｉｔｙ　Ｉｎｆｏｒｍａｔｉｏｎ　Ｄａｔａｂａｓｅ）１２３を利用して、受領したコンテンツ利用権情報としての権利情報（Ｒｉｇｈｔ）が有効期限内であるかなどの正当性の確認を行なう。
【００６４】
コンテンツ配信サーバ（ＣＤＳ）１２１は、コンテンツ利用デバイス（ＣＰＴ）１１１から受信したコンテンツ利用権情報としての権利情報（Ｒｉｇｈｔ）の正当性が確認されると、コンテンツ利用デバイス（ＣＰＴ）１１１に対してコンテンツの配信を実行する。」
　
　したがって、上記摘記事項（１ａ）を参酌すると、引用文献１には、以下の構成が記載されているといえる。
　
（ア）上記摘記事項（１ａ）の「【００５８】コンテンツを再生、利用するユーザは、ローカル領域１１０において、ネットワーク１５０接続可能なコンテンツ利用デバイス（ＣＰＴ：Ｃｏｎｔｅｎｔ　Ｐｌａｙｉｎｇ　Ｔｅｒｍｉｎａｌ）１１１を有する。コンテンツは、コンテンツ配信サーバ１２１からネットワーク１５０を介してコンテンツ利用デバイス（ＣＰＴ）に配信され、利用される。・・・（中略）・・・【００６０】ライセンス格納デバイス（ＲＨＤ）１１２は、コンテンツ利用デバイス（ＣＰＴ）１１１と通信するためのインタフェースを持っている。それぞれの装置はセキュアなセッションを張るための暗号処理装置と認証に必要な鍵情報を保持するエリアを備えている。ライセンス格納デバイス（ＲＨＤ）１１２は、例えば暗号処理部を備えた非接触ＩＣカードやメモリデバイスなどにより構成される。」の記載によれば、当該「コンテンツ配信サーバ」は、当該「ユーザ」により「再生」される当該「コンテンツ」を当該「ネットワーク」を介して当該「ライセンス格納デバイス」と接続する当該「コンテンツ利用デバイス」に「配信」するものと解することができる。
　
　そして、上記摘記事項（１ａ）の「【００５５】【発明の実施の形態】以下、図面を参照しながら、本発明の情報処理装置、コンテンツ配信サーバ、ライセンスサーバ、および方法、並びにコンピュータ・プログラムについて説明する。」の記載によれば、当該「方法」は、上記「コンテンツ配信サーバ」において、上記のように「配信」する方法を含むものと解することができる。
　
　したがって、上記摘記事項（１ａ）によれば、引用文献１には、「コンテンツ配信サーバにおいて、ユーザにより再生されるコンテンツをネットワークを介してラインセンス格納デバイスと接続するコンテンツ利用デバイスに配信する方法」が記載されているといえる。
　
（イ）上記摘記事項（１ａ）の「【００５９】コンテンツの配信を受け、コンテンツを利用するためには、コンテンツの利用権（ライセンス）が必要となる。このコンテンツ利用権（ライセンス）は、所定のライセンス取得手続きによって、ライセンスサーバ（ＲＳＳ：Ｒｉｇｈｔ　Ｓｅｌｌｉｎｇ　Ｓｅｒｖｅｒ）１２２から取得し、ライセンス格納デバイス（ＲＨＤ：Ｒｉｇｈｔ　Ｈｏｌｄｉｎｇ　Ｄｅｖｉｃｅ）１１２に格納される。また、コンテンツ利用権（ライセンス）があらかじめ格納されたライセンス格納デバイスを購入することで利用権を取得する方法もある。」の記載によれば、上記（ア）の「方法」は、上記（ア）の「ユーザにより再生されるコンテンツ」である当該「コンテンツ」の「配信を受け」るために、当該「ライセンスサーバ」に対して当該「所定のライセンス取得手続き」を行うこと、すなわち、当該「ライセンスサーバ」が、当該「ユーザにより再生されるコンテンツ」を「配信」するための当該「所定のライセンス取得手続き」を受け付けることを包含するものと解することができる。
　
　したがって、上記（ア）及び上記摘記事項（１ａ）によれば、引用文献１には、「上記方法は、ライセンスサーバが、前記ユーザにより再生されるコンテンツを配信するためのコンテンツ利用デバイスからの所定のライセンス取得手続きを受け付けることを包含すること」が記載されているといえる。
　
（ウ）上記摘記事項（１ａ）の「【００５９】コンテンツの配信を受け、コンテンツを利用するためには、コンテンツの利用権（ライセンス）が必要となる。このコンテンツ利用権（ライセンス）は、所定のライセンス取得手続きによって、ライセンスサーバ（ＲＳＳ：Ｒｉｇｈｔ　Ｓｅｌｌｉｎｇ　Ｓｅｒｖｅｒ）１２２から取得し、ライセンス格納デバイス（ＲＨＤ：Ｒｉｇｈｔ　Ｈｏｌｄｉｎｇ　Ｄｅｖｉｃｅ）１１２に格納される。また、コンテンツ利用権（ライセンス）があらかじめ格納されたライセンス格納デバイスを購入することで利用権を取得する方法もある。【００６０】ライセンス格納デバイス（ＲＨＤ）１１２は、コンテンツ利用デバイス（ＣＰＴ）１１１と通信するためのインタフェースを持っている。それぞれの装置はセキュアなセッションを張るための暗号処理装置と認証に必要な鍵情報を保持するエリアを備えている。ライセンス格納デバイス（ＲＨＤ）１１２は、例えば暗号処理部を備えた非接触ＩＣカードやメモリデバイスなどにより構成される。」の記載によれば、上記（ア）の「方法」は、当該「ライセンスサーバ」によって、上記（ア）の「ユーザにより再生されるコンテンツ」である当該「コンテンツ」の当該「利用権」を、当該「ライセンスサーバ」から上記（ア）の「コンテンツ利用デバイス」と接続される当該「ライセンス格納デバイス」へ「格納」させることを包含するものと解することができる。
　
　したがって、上記（ア）及び上記摘記事項（１ａ）によれば、引用文献１には、「上記方法は、前記ライセンスサーバによって、前記ユーザにより再生されるコンテンツの利用権を前記ライセンスサーバからライセンス格納デバイスへ格納させることを包含すること」が記載されているといえる。
　
（エ）上記摘記事項（１ａ）の「【００６３】コンテンツ利用デバイス（ＣＰＴ）１１１は、コンテンツ配信サーバ（ＣＤＳ）１２１に接続された後にコンテンツ利用権情報としての権利情報（Ｒｉｇｈｔ）をセキュアに送信する。コンテンツ配信サーバ（ＣＤＳ）１２１は、コンテンツ利用デバイス（ＣＰＴ）１１１から受信したコンテンツ利用権情報としての権利情報（Ｒｉｇｈｔ）の検証処理を実行して、偽造の有無の確認を行なう。さらに、権利情報（Ｒｉｇｈｔ）の有効期限を管理するデータベース、有効性管理情報データベース（ＶＩＤ：Ｖａｌｉｄｉｔｙ　Ｉｎｆｏｒｍａｔｉｏｎ　Ｄａｔａｂａｓｅ）１２３を利用して、受領したコンテンツ利用権情報としての権利情報（Ｒｉｇｈｔ）が有効期限内であるかなどの正当性の確認を行なう。」の記載によれば、上記（ア）の「方法」は、当該「コンテンツ配信サーバ」が「実行」する当該「検証処理」によって、当該「コンテンツ配信サーバ」において、上記（ウ）の「ユーザにより再生されるコンテンツの利用権」である当該「受信したコンテンツ利用権情報としての権利情報」の当該「正当性」を「確認」することを包含するものと解することができる。
　
　したがって、上記（ア）、上記（ウ）及び上記摘記事項（１ａ）によれば、引用文献１には、「上記方法は、コンテンツ配信サーバが実行する検証処理によって、コンテンツ配信サーバにおいて前記ユーザにより再生されるコンテンツの利用権の正当性を確認することを包含すること」が記載されているといえる。
　
（オ）上記摘記事項（１ａ）の「【００６４】コンテンツ配信サーバ（ＣＤＳ）１２１は、コンテンツ利用デバイス（ＣＰＴ）１１１から受信したコンテンツ利用権情報としての権利情報（Ｒｉｇｈｔ）の正当性が確認されると、コンテンツ利用デバイス（ＣＰＴ）１１１に対してコンテンツの配信を実行する。」の記載によれば、上記（ア）の「方法」は、上記（エ）の「ユーザにより再生されるコンテンツの利用権の正当性」である当該「コンテンツ利用権情報としての権利情報（Ｒｉｇｈｔ）の正当性」が「確認」されると、当該「コンテンツ配信サーバ」によって、上記（ア）の「ユーザにより再生されるコンテンツ」である当該「コンテンツ」を当該「コンテンツ配信サーバ」から当該「コンテンツ利用デバイス」へと「配信」するものと解することができる。
　
　そして、上記「コンテンツ利用デバイス」が上記「コンテンツ配信サーバ」から「配信」された上記「コンテンツ」を再生することは明らかである。
　
　したがって、上記（ア）、上記（エ）及び上記摘記事項（１ａ）によれば、引用文献１には、「上記方法は、前記ユーザにより再生されるコンテンツの利用権の正当性が確認されると、前記コンテンツ配信サーバによって、前記ユーザにより再生されるコンテンツを前記コンテンツ配信サーバから前記コンテンツ利用デバイスへと配信し、前記コンテンツ利用デバイスにおいて、前記コンテンツ配信サーバから配信されたコンテンツを再生することを包含すること」が記載されているといえる。
　
　上記（ア）乃至（オ）から、引用文献１には、次の発明（以下、「引用文献１発明」という。）が記載されていると認められる。
　
「　コンテンツ配信サーバにおいて、ユーザにより再生されるコンテンツをネットワークを介してライセンス格納デバイスと接続するコンテンツ利用デバイスに配信する方法であって、
　前記方法は、
　ライセンスサーバが、前記ユーザにより再生されるコンテンツをライセンス格納デバイスへ配信するための所定のライセンス取得手続きを受け付けることと、
　前記ライセンスサーバによって、前記ユーザにより再生されるコンテンツの利用権を前記ライセンスサーバからライセンス格納デバイスへ格納させることと、
　コンテンツ配信サーバが実行する検証処理によって、コンテンツ配信サーバにおいて前記ユーザにより再生されるコンテンツの利用権の正当性を確認することと、
　前記ユーザにより再生されるコンテンツの利用権の正当性が確認されると、前記コンテンツ配信サーバによって、前記ユーザにより再生されるコンテンツを前記コンテンツ配信サーバから前記コンテンツ利用デバイスへと配信し、前記コンテンツ利用デバイスにおいて、前記コンテンツ配信サーバから配信されたコンテンツを再生すること
　を包含する方法。」
　
（引用文献２）
　
　原査定の拒絶の理由に引用された特開２００４−４０７４１号公報（以下、「引用文献２」という。）には、図面とともに以下の内容が記載されている。
　
（２ａ）「【００３０】
図１のコンテンツ配信システム１２０には、複数のライセンスデータ１２５の販売価格を記述したライセンスリスト１２６を格納しており、暗号化コンテンツ１２４のコンテンツＩＤ２０１を検索キーとすることによって、対応するライセンスデータ１２５を検索し、適切な認証・課金手続きを経た上で、ライセンスデータ１２５を配布する。
【００３１】
コンテンツ利用システム１３０は、コンテンツ利用者１４０が所望する暗号化コンテンツ１２４の配信要求をコンテンツ配信システム１２０に発行する。コンテンツ配信システム１２０は、暗号化コンテンツ配信部１２１が配信要求を受け付けて、暗号化コンテンツ１２４を配信する。
【００３２】
また、コンテンツ利用システム１３０は、暗号化コンテンツ１３４を復号・利用するためのライセンスデータ１２５の配信要求をコンテンツ配信システム１２０に発行する。コンテンツ配信システム１２０は、ライセンスデータ配信部１２２が配信要求を受け付けて、適切な認証・課金手続きを経由した上で、ライセンスデータ１２５を配信する。
【００３３】
コンテンツ利用システム１３０は、コンテンツ配信システム１２０から受信した暗号化コンテンツ１２４とライセンスデータ１２５をコンテンツ利用システム１３０に格納して、暗号化コンテンツ１３４とライセンスデータ１３５とする。
【００３４】
コンテンツ復号・利用部１３１は、コンテンツ利用者１４０がコンテンツを利用する際に、同一のコンテンツＩＤを有する暗号化コンテンツ１３４とライセンス１３５からそれぞれ暗号化コンテンツ本体２０３および暗号鍵２１３を読み出して暗号化コンテンツ本体２０３の復号を行い、コンテンツ利用者１４０に提供する。」
　
　したがって、上記摘記事項（２ａ）を参酌すると、引用文献２には、以下の構成が記載されているといえる。
　
（カ）上記摘記事項（２ａ）の「【００３１】コンテンツ利用システム１３０は、コンテンツ利用者１４０が所望する暗号化コンテンツ１２４の配信要求をコンテンツ配信システム１２０に発行する。コンテンツ配信システム１２０は、暗号化コンテンツ配信部１２１が配信要求を受け付けて、暗号化コンテンツ１２４を配信する。【００３２】また、コンテンツ利用システム１３０は、暗号化コンテンツ１３４を復号・利用するためのライセンスデータ１２５の配信要求をコンテンツ配信システム１２０に発行する。コンテンツ配信システム１２０は、ライセンスデータ配信部１２２が配信要求を受け付けて、適切な認証・課金手続きを経由した上で、ライセンスデータ１２５を配信する。」によれば、サーバーである当該「コンテンツ配信システム」は、コンテンツである当該「暗号化コンテンツ」と、当該「暗号化コンテンツ」を「復号」するためのキーである「ライセンスデータ」を使用者装置である当該「コンテンツ利用システム」に伝送するものと解することができる。
　
　そして、上記摘記事項（２ａ）の「【００３４】コンテンツ復号・利用部１３１は、コンテンツ利用者１４０がコンテンツを利用する際に、同一のコンテンツＩＤを有する暗号化コンテンツ１３４とライセンス１３５からそれぞれ暗号化コンテンツ本体２０３および暗号鍵２１３を読み出して暗号化コンテンツ本体２０３の復号を行い、コンテンツ利用者１４０に提供する。」によれば、上記使用者装置は、上記サーバーから伝送された上記コンテンツである当該「暗号化コンテンツ」を、上記キーである当該「ライセンス」を用いて当該「復号」を行うことで、コンテンツ利用者にコンテンツを「利用」させる処理、すなわち、サーバーから伝送されたコンテンツを実行キーにより実行する処理を行うものと解することができる。
　
　したがって、上記摘記事項（２ａ）によれば、引用文献２には、「使用者装置において、サーバーから伝送されたコンテンツを実行キーにより実行するために、サーバーからコンテンツと実行キーを使用者装置へ伝送すること」が記載されているといえる。
　
　上記（カ）から、引用文献２には、次の記載事項（以下、「引用文献２の記載事項」という。）が記載されているといえる。
　
「　使用者装置によってサーバーから伝送されたコンテンツを実行キーにより実行するために、サーバーからコンテンツと実行キーを使用者装置へ伝送すること。」
　
（４−３）本願補正発明と引用文献１発明との対比
　
　本願補正発明と引用文献１発明を対比する。
　
　引用文献１発明の「コンテンツ配信サーバ」は、ネットワークを介してコンテンツを供給する装置であるから、本願補正発明の「サーバー」に相当する。
　
　また、引用文献１発明の「コンテンツ配信サーバ」は、コンテンツの利用権の正当性の確認も行っているから、本願補正発明の「第２のサーバー」に相当する。
　
　また、引用文献１発明の「コンテンツ利用デバイス」と「ライセンス格納デバイス」は、相互に接続してコンテンツの利用を行う使用者の装置を構成しているから、本願補正発明の「使用者装置」に相当する。
　
　また、引用文献１発明の「ライセンスサーバ」は、ネットワークを介してコンテンツの利用権を供給する装置であるから、本願補正発明の「第１のサーバー」に相当する。
　
　また、引用文献１発明の「コンテンツ配信サーバが実行する検証処理によって、コンテンツ配信サーバにおいて前記ユーザにより再生されるコンテンツの利用権の正当性を確認すること」は、当該「検証処理」が、通常、第２のサーバーの認証プログラムにより実行され、当該「ユーザにより再生されるコンテンツ」が、通常、使用者である当該「ユーザ」の所望するものであるから、本願補正発明の「認証エンジンによって、第２のサーバーにおいて前記使用者により所望されるコンテンツの使用権利の有効性を判断すること」に相当する。
　
　そして、本願補正発明の「サーバーにおいて、使用者により所望されるコンテンツを無線インターネット接続を介して移動通信使用者装置へとダウンロードする方法」と、引用文献１発明の「コンテンツ配信サーバにおいて、ユーザにより再生されるコンテンツをネットワークを介してライセンス格納デバイスと接続するコンテンツ利用デバイスに配信する方法」とは、後記の点で相違するものの、無線インターネット接続はネットワークの一種であるから、共に「サーバーにおいて、使用者により所望されるコンテンツをネットワークを介して使用者装置へとダウンロードする方法」である点で共通する。
　
　また、本願補正発明の「第１のサーバーによって、前記使用者により所望されるコンテンツをダウンロードするための前記移動通信使用者装置からのリクエストおよび前記移動通信使用者装置に与えられた固有の識別情報を受信すること」と、引用文献１発明の「ライセンスサーバが、前記ユーザにより再生されるコンテンツをライセンス格納デバイスへ配信するための所定のライセンス取得手続きを受け付けること」とは、後記の点で相違するものの、当該「所定のライセンス取得手続き」は第１のサーバーに対するリクエストの一種であるから、共に「第１のサーバーによって、前記使用者により所望されるコンテンツをダウンロードするためのリクエストを受信すること」である点で共通する。
　
　また、本願補正発明の「前記第１のサーバーによって、前記使用者により所望されるコンテンツの使用権利を前記第１のサーバーから前記移動通信使用者装置へと伝送すること」と、引用文献１発明の「前記ライセンスサーバによって、前記ユーザにより再生されるコンテンツの利用権を前記ライセンスサーバからライセンス格納デバイスへ格納させること」とは、後記の点で相違するものの、共に「前記第１のサーバーによって、前記使用者により所望されるコンテンツの使用権利を前記第１のサーバーから前記使用者装置へと伝送すること」である点で共通する。
　
　また、本願補正発明の「前記使用者により所望されるコンテンツの使用権利が有効である場合に、前記第２のサーバーによって、前記使用者により所望されるコンテンツと、暗号化された実行キーとを前記第２のサーバーから前記移動通信使用者装置へと伝送することであって、前記暗号化された実行キーは、前記第２のサーバーから伝送されたコンテンツを実行するための実行キーである、こと」と、引用文献１発明の「前記ユーザにより再生されるコンテンツの利用権の正当性が確認されると、前記コンテンツ配信サーバによって、前記ユーザにより再生されるコンテンツを前記コンテンツ配信サーバから前記コンテンツ利用デバイスへと配信し、前記コンテンツ利用デバイスにおいて、前記コンテンツ配信サーバから配信されたコンテンツを再生すること」とは、後記の点で相違するものの、共に「前記使用者により所望されるコンテンツの使用権利が有効である場合に、前記第２のサーバーによって、前記使用者により所望されるコンテンツを前記第２のサーバーから前記使用者装置へと伝送し、使用者装置によって第２のサーバーから伝送されたコンテンツを実行すること」である点で共通する。
　
　したがって、両者は、
　
（一致点）
　
「　サーバーにおいて、使用者により所望されるコンテンツをネットワークを介して使用者装置へとダウンロードする方法であって、
　前記方法は、
　第１のサーバーによって、前記使用者により所望されるコンテンツをダウンロードするためのリクエストを受信することと、
　前記第１のサーバーによって、前記使用者により所望されるコンテンツの使用権利を前記第１のサーバーから前記使用者装置へと伝送することと、
　認証エンジンによって、第２のサーバーにおいて前記使用者により所望されるコンテンツの使用権利の有効性を判断することと、
　前記使用者により所望されるコンテンツの使用権利が有効である場合に、前記第２のサーバーによって、前記使用者により所望されるコンテンツを前記第２のサーバーから前記使用者装置へと伝送し、使用者装置によって第２のサーバーから伝送されたコンテンツを実行すること
　を包含する、方法。」
　
である点で一致し、以下の点で相違する。
　
（相違点１）
　
　本願補正発明では、使用者装置が移動通信使用者装置であり、コンテンツを無線インターネット接続を介してダウンロードするのに対し、
　
　引用文献１発明では、使用者装置が移動通信使用者装置であるかどうか明記されておらず、コンテンツを無線ネットワーク接続を介してダウンロードしていない点。
　
（相違点２）
　
　本願補正発明は、第１のサーバーによって、使用者により所望されるコンテンツの使用権利を生成することを備えるのに対し、
　
　引用文献１発明は、そのような構成を備えていない点。
　
（相違点３）
　
　本願補正発明では、第１のサーバーが使用者装置からのリクエストおよび使用者装置に与えられた固有の識別情報を受信するのに対し、
　
　引用文献１発明では、第１のサーバーがリクエストを受信するものの、上記識別情報を受信しておらず、また、当該リクエストが使用者装置からのリクエストではない点。
　
（相違点４）
　
　本願補正発明は、第２のサーバーから伝送されたコンテンツを実行するための実行キーを備え、
　第２のサーバーがコンテンツと暗号化された実行キーを使用者装置へ伝送するのに対し、
　
　引用文献１発明は、第２のサーバーから伝送されたコンテンツを実行するものの、そのための実行キーを備えておらず、
　第２のサーバーがコンテンツを使用者装置へ伝送するものの、暗号化された実行キーを伝送していない点。
　
（４−４）相違点についての判断
　
（相違点１について）
　
　例えば、特開２００３−１５７３３４号公報（段落【０００２】乃至段落【０００５】及びその関連箇所等参照。）にみられるように、インターネットと接続できる携帯電話にコンテンツを配信することは、周知事項である。
　
　してみると、引用文献１発明において、上記周知事項を適用し、使用者装置をインターネットと接続できる携帯電話とし、その際、コンテンツを周知の無線インターネット接続を介してダウンロードすることは、当業者であれば適宜になし得る設計的事項にすぎないものである。
　
　したがって、相違点１に係る本願補正発明の構成は、引用文献１発明及び周知事項に基づいて、当業者が容易に想到し得たものである。
　
（相違点２について）
　
　引用文献１発明では、第１のサーバーから使用者により所望されるコンテンツの使用権利を伝送しているから、引用文献１発明において、当該使用権利を伝送する前処理として、第１のサーバーによって、使用者により所望されるコンテンツの使用権利を生成することは、当業者であれば適宜になし得る設計的事項である。
　
　したがって、相違点２に係る本願補正発明の構成は、引用文献１発明に基づいて、当業者が容易に想到し得たものである。
　
（相違点３について）
　
　例えば、特開２００３−１５７３３４号公報（段落【００３５】乃至段落【００３６】、段落【００４２】、段落【００５３】及びその関連箇所等。）にみられるように、コンテンツ配信装置が、コンテンツを利用するユーザ端末である携帯電話から、コンテンツの購入の要求と当該携帯電話に与えられた電話番号等のユーザ情報とを取得して課金の処理を行うことは、周知事項である。
　
　してみると、引用文献１発明において、上記周知事項を適用し、第１のサーバーが使用者装置からのリクエストおよび使用者装置に与えられた固有の識別情報を受信することは、当業者であれば適宜になし得る設計的事項にすぎないものである。
　
　したがって、相違点３に係る本願補正発明の構成は、引用文献１発明及び周知事項に基づいて、当業者が容易に想到し得たものである。
　
（相違点４について）
　
　引用文献２の記載事項には、「使用者装置によってサーバーから伝送されたコンテンツを実行キーにより実行するために、サーバーからコンテンツと実行キーを使用者装置へ伝送すること。」が記載されている。
　
　してみると、引用文献１発明において、引用文献２の記載事項を適用し、使用者装置において、第２のサーバーから伝送されたコンテンツを実行するに当たり、第２のサーバーから伝送されたコンテンツを実行するための実行キーを備え、第２のサーバーがコンテンツと実行キーを使用者装置へ伝送することは、当業者であれば適宜になし得るものである。
　
　また、例えば、特開２００４−１３９３２３号公報にみられるように、コンテンツを実行するためのキーの送受信を行うに当たり、セキュリティ向上のために暗号化するよう構成することは、周知事項である。
　
　してみると、引用文献１発明において、引用文献２の記載事項を適用し、第２のサーバーから伝送されたコンテンツを実行するための実行キーを備え、第２のサーバーがコンテンツと実行キーを使用者装置へ伝送するのであれば、その際のセキュリティ向上のために、上記周知事項に基づき、当該実行キーを暗号化するよう構成することは、当業者であれば適宜になし得る設計的事項にすぎないものである。
　
　したがって、相違点４に係る本願補正発明の構成は、引用文献１発明、引用文献２の記載事項及び周知事項に基づいて、当業者が容易に想到し得たものである。
　
　そして、本願補正発明の作用効果も，引用文献１、引用文献２及び周知事項から当業者が予測できる範囲のものである。
　
　よって、本願補正発明は、引用文献１発明、引用文献２の記載事項及び周知事項に基づいて、当業者が容易に発明をすることができたものであるから、特許法第２９条第２項の規定により特許出願の際独立して特許を受けることができないものである。
　
（５）本件補正についてのむすび
　
　したがって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項において読み替えて準用する同法第５３条第１項の規定により却下すべきものである。
　
３．本願発明について
　
（１）本願の請求項１に係る発明
　
　上記の平成２１年　１月２３日付けでした手続補正は、上記のとおり却下されたので、本願の請求項７に係る発明（以下、「本願発明」という）は、上記の平成２０年　８月１９日付け手続補正書によって補正された明細書の特許請求の範囲の請求項７に記載された事項により特定される上記２．（１）の「＜＜本件補正前の特許請求の範囲＞＞」の項で示したとおりのものである。
　
（２）引用文献に記載の発明
　
　原査定の拒絶の理由で引用された引用文献１及びこれらの記載事項は、上記２．（４）（４−２）「引用文献に記載の発明及び引用文献の記載事項」の項に記載したとおりである。
　
（３）対比
　
　本願発明と引用文献１発明とを対比すると、本願発明は、上記本願補正発明において、上記２．（３）の「補正の目的」の項において検討した特許請求の範囲の限定的に減縮するための補正事項の構成を省いたものである。
　
（４）判断
　
　してみると、本願発明の構成要件を全て含み、さらに他の構成要件を付加したものに相当する上記本願補正発明が、上記２．（４）「独立特許要件」の項に記載したとおり、引用文献１発明、引用文献２の記載事項及び周知事項に基づいて、当業者が容易に発明をすることができたものであるから、本願発明も同様の理由により、引用文献１発明、引用文献２の記載事項及び周知事項に基づいて、当業者が容易に発明をすることができたものであり、特許法第２９条第２項の規定により特許を受けることができない。
　
４．むすび
　
　上記のとおり、本願の請求項７に係る発明が、引用文献１発明、引用文献２の記載事項及び周知事項に基づいて、当業者が容易に発明をすることができたものであるから、特許法第２９条第２項の規定により特許を受けることができないため、本願の他の請求項に係る発明について検討するまでもなく、本願は拒絶すべきものである。
　
　よって，結論のとおり審決する。